(57)【特許請求の範囲】
【請求項１】
発信側ＷＬＬ加入者端末機がオフフックされる時、ユーザーによって入力される少なくとも一つのデジットを格納し、前記格納されたデジットに応ずるサービスを前記最後のデジットが入力されてから所定時間が経過する前に行なうステップと、
前記最後のデジットが入力されてから所定時間が経過すると、前記格納されたデジット及び前記格納されたデジットに応ずる情報のうちいずれか一つをシステム側に伝送するステップとからなることを特徴とするＷＬＬ端末機を用いて通話する方法。
【請求項２】
前記発信側ＷＬＬ端末機は、前記発信側ＷＬＬ端末機自体の外側及び内側に前記ＷＬＬシステムと無線接続するための無線接続装置を備える請求項１に記載のＷＬＬ端末機を用いて通話する方法。
【請求項３】
前記発信側ＷＬＬ加入者端末機のオフフック以後、前記発信側ＷＬＬ加入者端末機と、前記システムとの呼が設定される段階をさらに包含する請求項１に記載のＷＬＬ端末機を用いて通話する方法。
【請求項４】
前記サービスをおこなう段階において、少なくとも一つの特定デジットが入力される場合に、前記入力されるデジットに応ずる着信側ＷＬＬ加入者端末機と連結されるサービスをおこなう請求項１に記載のＷＬＬ端末機を用いて通話する方法。
【請求項５】
前記サービスをおこなう段階において、
少なくとも一つの特定デジットが入力される場合、前記入力されるデジットに応ずる着信側ＷＬＬ加入者端末機が連結を切る前まで発信側ＷＬＬ加入者端末機によって連結解除されないようにするサービスをおこなう請求項１に記載のＷＬＬ端末機を用いて通話する方法。
【請求項６】
前記サービスを行う段階において、
少なくとも一つの特定デジットが入力される場合、前記入力されるデジットに応ずる着信側ＷＬＬ加入者端末機との連結のためのパスワードを要求した後、該当着信側ＷＬＬ加入者端末機と連結されるサービスをおこなう請求項１に記載のＷＬＬ端末機を用いて通話する方法。
【請求項７】
前記サービスを行う段階において、
少なくとも一つの特定デジットが入力される場合、前記入力されるデジットに応ずる着信側ＷＬＬ加入者端末機又は前記着信側ＷＬＬ加入者端末機が位置する特定地域に制限するサービスを行う請求項１に記載のＷＬＬ端末機を用いて通話する方法。
【請求項８】
前記サービスを行う段階において、
少なくとも一つの特定デジットが入力される場合、前記入力されるデジットに応ずる着信側ＷＬＬ加入者端末機へのファックスサービスを行う請求項１に記載のＷＬＬ端末機を用いて通話する方法。
【請求項９】
基地局及び該基地局と無線接続するための無線接続装置を有するＷＬＬ加入者端末機を備えたＷＬＬシステムにおいて、
前記発信側ＷＬＬ加入者端末機がオフフックされる時、前記無線接続装置が前記発信側ＷＬＬ加入者端末機から入力される少なくとも一つのデジットを一時的に格納して、前記格納されたデジットに応ずるサービスを前記最後のデジットが入力されてから所定時間が経過する前に行なうステップと、
前記所定期間の間入力されるデジットがない場合、前記無線接続装置が前記デジット及び前記デジット情報に応ずる情報のうち、いずれか一つを前記基地局に伝送するステップと、
前記伝送によって前記発信側ＷＬＬ加入者端末機と着信側ＷＬＬ加入者端末機が連結されて通話が行われるステップとからなることを特徴とするＷＬＬ端末機を用いて通話する方法。
【請求項１０】
前記サービスを行う段階において、
前記オフフックされるとき、前記無線接続装置が前記入力されるデジットを一時的に格納するステップとを更に含める請求項９に記載のＷＬＬ端末機を用いて通話する方法。
【請求項１１】
前記サービスを行う段階において、
少なくとも一つの特定デジットが入力される場合に、前記入力されるデジットに応ずる着信側ＷＬＬ加入者端末機と連結されるようにサービスを行う請求項９に記載のＷＬＬ端末機を用いて通話する方法。
【請求項１２】
前記サービスを行う段階において、
少なくとも一つの特定デジットが入力される場合、前記入力されるデジットに応ずる着信側ＷＬＬ加入者端末機が連結を切る前まで発信側ＷＬＬ加入者端末機によって連結解除されないようにするサービスをおこなう請求項９に記載のＷＬＬ端末機を用いて通話する方法。
【請求項１３】
前記サービスを行う段階において、
少なくとも一つの特定デジットが入力される場合、前記入力されるデジットに応ずる着信側ＷＬＬ加入者端末機との連結のためのパスワードを要求した後、該当着信側ＷＬＬ加入者端末機と連結されるサービスをおこなう請求項９に記載のＷＬＬ端末機を用いて通話する方法。
【請求項１４】
前記サービスを行う段階において、
少なくとも一つの特定デジットが入力される場合、前記入力されるデジットに応ずる着信側ＷＬＬ加入者端末機又は着信側前記ＷＬＬ加入者端末機が位置する特定地域に制限するサービスを行う請求項９に記載のＷＬＬ端末機を用いて通話する方法。
【請求項１５】
前記サービスを行う段階において、
少なくとも一つの特定デジットが入力される場合、前記入力されるデジットに応ずる着信側ＷＬＬ加入者端末機へのファックスサービスを行う請求項９に記載のＷＬＬ端末機を用いて通話する方法。
【請求項１６】
前記発信側ＷＬＬ加入者端末機のオフフック以後、前記発信側ＷＬＬ加入者端末機と、前記システムと呼が設定されるステップとを更に含むことを特徴とする請求項９に記載のＷＬＬ端末機を用いて通話する方法。
【請求項１７】
基地局及び該基地局と無線接続するための無線接続装置を有するＷＬＬ加入者端末機を備えたＷＬＬシステムにおいて、
前記発信側ＷＬＬ加入者端末機がオフフックされると、前記交換局が前記交換局自体から発生されるダイヤルトーンが加入者に伝えられないようにするメッセージを前記無線接続装置に伝えるステップと、
前記メッセージによって前記無線接続装置が、前記無線接続装置内部に備えられているボコーダーを停止させ、前記発信側ＷＬＬ加入者端末機がオフフック以後、前記発信側ＷＬＬ加入者端末機から入力される少なくとも一つのデジットを一時的に格納して、前記格納されたデジットに応ずるサービスを前記最後のデジットが入力されてから所定時間が経過する前に行なうステップと、
前記所定期間の間、入力されるデジットがない場合に、前記無線接続装置は前記デジット及び前記デジット情報に応ずる情報のうち、いずれか一つを前記基地局に伝送するステップと、
前記伝送によって発信側ＷＬＬ加入者端末機と着信側ＷＬＬ加入者端末機とが連結されて通話が行われるステップとからなることを特徴とするＷＬＬ端末機を用いて通話する方法。
【発明の詳細な説明】
【０００１】
【発明の属する技術分野】
本発明は、通信システムに関するもので、特に、無線加入者網システムにおける通話を行う方法に関する。
【０００２】
【従来の技術】
一般に、無線加入者網（Ｗｉｒｅｌｅｓｓ  Ｌｏｃａｌ  Ｌｏｏｐ：以下ＷＬＬと称する）システムは、加入者と電話局間に無線加入者線路を提供する。このようなＷＬＬシステムは音声通信サービス、模写電送（ＦＡＸ）サービス、データ通信サービスを必要に応じて提供できる。
【０００３】
図１は一般的な分離型及び一体型ＷＬＬシステムの構成図である。
【０００４】
図１を参照すると、前記ＷＬＬシステムは家庭又は事務所に設置された固定電話機１０と、該固定電話機１０に連結されて無線インタフェース上で情報を送信及び受信するＷＬＬ用無線接続装置２０と、前記ＷＬＬ用無線接続装置２０が内蔵された一体型ＷＬＬ端末機３０と、前記ＷＬＬ用無線接続装置２０又は前記一体型ＷＬＬ端末機３０と無線接続する基地局４０と、前記基地局４０と有線接続して呼処理及びメッセージ伝達の機能を行う基地局制御装置５０と、前記ＷＬＬシステムを運用し、前記ＷＬＬシステムのメンテナンス機能を行う運用装置６０とから構成される。
【０００５】
ここで、前記基地局制御装置５０には交換局７０が連結される。
【０００６】
このように構成される前記ＷＬＬシステムの各構成要素に対する各々の動作を詳細に説明する。
【０００７】
まず、前記ＷＬＬ用無線接続装置２０は前記ＷＬＬシステムの最終端に位置して無線インターフェイス上で情報を送信及び受信する機能、無線周波数信号から基底帯域信号に変換された信号を加入者に伝達する機能及び前記基底帯域信号から前記無線周波数信号に変換された信号を前記基地局４０に伝達する機能、通信網との信号プロトコールを処理する機能、また、音声信号を処理する機能を有する。
【０００８】
また、前記基地局４０は前記ＷＬＬ用無線接続装置２０又は前記ＷＬＬ用無線接続装置２０を内蔵する前記一体型ＷＬＬ端末機３０と無線接続して無線周波数信号を処理して無線周波数信号を変調及び復調する。また、前記基地局４０は前記変調及び復調された信号にチャネルコーディング及びデコーディングを行う。また、前記基地局４０は前記基地局制御装置５０と特定トランク（ＥＩ／ＨＤＳＬ）を介して有線接続される。
【０００９】
前記基地局制御装置５０は前記基地局４０と交換局７０の間に位置し、多数の基地局など４０を管理する。前記基地局制御装置５０は信号メッセージを伝達する機能、呼を処理する機能、コードを変換する機能及び前記基地局４０と前記交換局７０間のインターフェイス機能を有する。
【００１０】
前記運用装置６０は前記ＷＬＬ用無線接続装置２０、前記基地局４０及び前記基地局制御装置５０を運用し、これらのメンテナンス機能を担当する。即ち、ネットワーク構成を管理する機能、ネットワーク要素を管理する機能、性能を管理する機能、資料を処理する機能、ソフトウェアを管理する機能及び保安管理機能を運用し、維持する。
【００１１】
このような前記ＷＬＬシステムにおいて、ユーザーが端末機３０をオフフックすると、すぐに発信情報を前記該当基地局４０に送り、前記端末機３０と前記基地局４０の間に通話チャネル（又はトラフィックチャネル）を、まず割り当てる。
【００１２】
この時、前記トラフィックチャネルが割り当てられる前に前記ユーザーによって入力されたデジッド又はデジットなどがあれば、前記デジット又はデジットなどは一時的に格納され、前記トラフィックチャネルが割り当てられた以後に前記基地局に４０に、まず伝送される。
【００１３】
なお、前記トラフィックチャネルが割り当てられた以後に入力された各デジットは入力時ごとに基地局に伝送される方式になる。
【００１４】
なお、前記基地局４０は前記入力されたデジット情報を含むデュアルトーン多重周波数メッセージ（Ｄｕａｌ  Ｔｏｎｅ  Ｍｕｌｔｉｐｌｅ  Ｆｒｅｑｕｅｎｃｙ  Ｍｅｓｓａｇｅ）を前記端末機３０から受信した後、前記受信された多重メッセージに基づいて電話番号を分析し、該電話番号に当たる着信側端末機と前記発信側端末機３０とを連結する。
【００１５】
このように、従来技術では前記端末機３０において前記ユーザーによって入力されるデジットの処理が全て基地局４０で行われるので、前記基地局４０において過負荷となるおそれがある。
【００１６】
【発明が解決しようとする課題】
本発明は、上記従来技術の問題点を解決するためのもので、その目的は、端末機の支援によって基地局と過負荷を減らすことができるＷＬＬシステムにおいて通話を行う方法を提供することにある。
【００１７】
【課題を解決するための手段】
本発明のＷＬＬ端末機を用いて通話する方法は、発信側ＷＬＬ加入者端末機がオフフックされる時、ユーザーによって入力される少なくとも一つのデジットなどを格納し、前記格納されたデジットに応ずるサービスをおこなうステップと、前記最後のデジットが入力されてから所定時間が経過すると、前記格納されたデジット及び前記格納されたデジットに応ずる情報のうちいずれか一つをシステム側に伝送するステップとからなることを特徴とするＷＬＬ端末機を用いて通話する方法。
【００１８】
前記発信側ＷＬＬ端末機は、前記発信側ＷＬＬ端末機自体の外側及び内側に前記ＷＬＬシステムと無線接続するための無線接続装置を備える。
【００１９】
前記発信側ＷＬＬ加入者端末機のオフフック以後、前記発信側ＷＬＬ加入者端末機と、前記システムとの呼が設定される段階からなる。
【００２０】
前記サービスをおこなう段階において、少なくとも一つの特定デジットが入力される場合に、前記入力されるデジットに応ずる着信側ＷＬＬ加入者端末機と連結されるサービスをおこなう。
【００２１】
前記サービスをおこなう段階において、少なくとも一つの特定デジットが入力される場合、前記入力されるデジットに応ずる着信側ＷＬＬ加入者端末機が連結を切る前まで発信側ＷＬＬ加入者端末機によって連結解除されないようにするサービスをおこなう。
【００２２】
前記サービスを行う段階において、少なくとも一つの特定デジットが入力される場合、前記入力されるデジットに応ずる着信側ＷＬＬ加入者端末機との連結のためのパスワードを要求した後、該当着信側ＷＬＬ加入者端末機と連結されるサービスをおこなう。
【００２３】
前記サービスを行う段階において、少なくとも一つの特定デジットが入力される場合、前記入力されるデジットに応ずる着信側ＷＬＬ加入者端末機又は前記着信側ＷＬＬ加入者端末機が位置する特定地域に制限するサービスを行う。
【００２４】
前記サービスを行う段階において、少なくとも一つの特定デジットが入力される場合、前記入力されるデジットに応ずる着信側ＷＬＬ加入者端末機へのファックスサービスを行う。
【００２５】
本発明のＷＬＬ端末機を用いて通話する方法は、基地局及び該基地局と無線接続するための無線接続装置を有するＷＬＬ加入者端末機を備えたＷＬＬシステムにおいて、前記発信側ＷＬＬ加入者端末機がオフフックされる時、前記無線接続装置が前記発信側ＷＬＬ加入者端末機から入力される少なくとも一つのデジットを分析して該デジットに応ずるサービスを行うステップと、前記入力デジットのうち、最後の入力デジット以後、所定期間の間入力されるデジットがない場合、前記無線接続装置が前記デジット及び前記デジット情報に応ずる情報のうち、いずれか一つを前記基地局に伝送するステップと、前記伝送によって前記発信側ＷＬＬ加入者端末機と着信側ＷＬＬ加入者端末機が連結されて通話が行われるステップとからなることを特徴とする。
【００２６】
前記サービスを行う段階において、前記オフフックされるとき、前記無線接続装置が前記入力されるデジットを一時的に格納するステップとを更に含める。
【００２７】
前記サービスを行う段階において、少なくとも一つの特定デジットが入力される場合に、前記入力されるデジットに応ずる着信側ＷＬＬ加入者端末機と連結されるようにサービスを行う。
【００２８】
前記サービスを行う段階において、少なくとも一つの特定デジットが入力される場合、前記入力されるデジットに応ずる着信側ＷＬＬ加入者端末機が連結を切る前まで発信側ＷＬＬ加入者端末機によって連結解除されないようにするサービスをおこなう。
【００２９】
前記サービスを行う段階において、少なくとも一つの特定デジットが入力される場合、前記入力されるデジットに応ずる着信側ＷＬＬ加入者端末機との連結のためのパスワードを要求した後、該当着信側ＷＬＬ加入者端末機と連結されるサービスをおこなう。
【００３０】
前記サービスを行う段階において、少なくとも一つの特定デジットが入力される場合、前記入力されるデジットに応ずる着信側ＷＬＬ加入者端末機又は着信側前記ＷＬＬ加入者端末機が位置する特定地域に制限するサービスを行う。
【００３１】
前記サービスを行う段階において、少なくとも一つの特定デジットが入力される場合、前記入力されるデジットに応ずる着信側ＷＬＬ加入者端末機へのファックスサービスを行う。
【００３２】
前記発信側ＷＬＬ加入者端末機のオフフック以後、前記発信側ＷＬＬ加入者端末機と、前記システムと呼が設定されるステップとを更に含めることを特徴とする。
【００３３】
本発明のＷＬＬ端末機を用いて通話する方法は、基地局及び該基地局と無線接続するための無線接続装置を有するＷＬＬ加入者端末機を備えたＷＬＬシステムにおいて、前記交換局が前記交換局自体から発生されるダイヤルトーンが加入者に伝えられないようにするメッセージを無線接続装置に伝えるステップと、前記メッセージによって前記無線接続装置が、前記無線接続装置内部に備えられているボコーダーを停止させ、前記発信側ＷＬＬ加入者端末機がオフフック以後、前記発信側ＷＬＬ加入者端末機から入力される少なくとも一つのデジットを分析して前記入力されるデジットに応ずるサービスを行うステップと、前記入力デジットのうち、最後の入力デジット以後、所定期間の間、入力されるデジットがない場合に、前記無線接続装置は前記デジット及び前記デジット情報に応ずる情報のうち、いずれか一つを前記基地局に伝送するステップと、前記伝送によって発信側ＷＬＬ加入者端末機と着信側ＷＬＬ加入者端末機とが連結されて通話が行われるステップとからなることを特徴とする。
【００３４】
上記目的を達成するための本発明によるＷＬＬ加入者端末機を用いた通話を行う方法は、ＷＬＬ加入者端末機がオフフックされる時、ユーザーによって入力される少なくとも一つのデジットなどを格納し、前記格納されたデジットに応ずるサービスをおこなうステップと、
前記最後デジットが入力されてから所定時間が経過すると、前記格納されたデジット及び前記格納されたデジットに応ずる情報のうちいずれか一つをシステム側に伝送するステップとからなることを特徴とする。
【００３５】
前記ＷＬＬ端末機は、前記ＷＬＬ端末機自体の外側及び内側に前記ＷＬＬシステムと無線接続するための無線接続装置を備えることを特徴とする。
【００３６】
前記ＷＬＬ加入者端末機のオフフック以後、前記ＷＬＬ加入者端末機と、前記システムと呼が設定される段階とからなることを特徴とする。
【００３７】
前記サービスをおこなう段階において、少なくとも一つの特定デジットが入力される場合に、前記入力されるデジットに応ずる着信側ＷＬＬ加入者端末機と連結されるサービスをおこなうことを特徴とする。
【００３８】
前記サービスをおこなう段階において、少なくとも一つの特定デジットが入力される場合、前記入力されるデジットに応ずる着信側ＷＬＬ加入者端末機が連結を切る前まで発信側ＷＬＬ加入者端末機によって連結解除されないようにするサービスをおこなうことを特徴とする。
【００３９】
前記サービスを行う段階において、少なくとも一つの特定デジットが入力される場合、前記入力されるデジットに応ずる着信側ＷＬＬ加入者端末機との連結のためのパスワードを要求した後、該当着信側ＷＬＬ加入者端末機と連結されるサービスをおこなうことを特徴とする。
【００４０】
前記サービスを行う段階において、少なくとも一つの特定デジットが入力される場合、前記入力されるデジットに応ずる着信側ＷＬＬ加入者端末機又は前記ＷＬＬ加入者端末機が位置する特定地域を制限するサービスを行うことを特徴とする。
【００４１】
前記サービスを行う段階において、少なくとも一つの特定デジットが入力される場合、前記入力されるデジットに応ずる着信側ＷＬＬ加入者端末機へのファックスサービスを行うことを特徴とする。
【００４２】
以上のような目的を達成するための異なる一実施形態によると、基地局及び該基地局と無線接続するための無線接続装置を有するＷＬＬ加入者端末機を備えたＷＬＬシステムにおいて、ＷＬＬ加入者端末機を用いた通話を行う方法は、前記ＷＬＬ加入者端末機がオフフックされる時、前記無線接続装置が前記ＷＬＬ加入者端末機から入力される少なくとも一つのデジットを分析して該デジットに応ずるサービスを行うステップと、前記入力デジットのうち、最後の入力デジット以後、所定期間の間入力されるデジットがない場合、前記無線接続装置が前記デジット及び前記デジット情報に応ずる情報のうち、いずれか一つを前記基地局に伝送するステップと、前記伝送によって前記ＷＬＬ加入者端末機と着信側ＷＬＬ加入者端末機が連結されて通話が行われるステップとからなることを特徴とする。
【００４３】
前記サービスを行う段階において、前記オフフックされるとき、前記無線接続装置が前記入力されるデジットを一時的に格納するステップとを更に含めることを特徴とする。
【００４４】
以上のような目的を達成するための異なる一実施形態によると、基地局及び該基地局と無線接続するための無線接続装置を有するＷＬＬ加入者端末機を備えたＷＬＬシステムにおいて、ＷＬＬ加入者端末機を用いた通話を行う方法は、前記交換局が自信から発生されるダイヤルトンが加入者に伝えられないようにするメッセージを無線接続装置に伝えるステップと、前記メッセージによって前記無線接続装置が、自信内部に備えられているボコーダーを停止させ、前記ＷＬＬ加入者端末機オフフック以後、前記ＷＬＬ加入者端末機から入力される少なくとも一つのデジットを分析して前記入力されるデジットに応ずるサービスを行うステップと、前記入力デジットのうち、最後の入力デジット以後、所定期間の間入力されるデジットがない場合に、前記無線接続装置は前記デジット及び前記デジットに応ずる情報のうち、いずれか一つを前記基地局に伝送するステップと、前記伝送によって着信側加入者と連結されて通話が行われるステップとからなることを特徴とする。
【００４５】
【発明の実施の形態】
以下、添付の図面を参照して本発明を更に詳細に説明する。
【００４６】
本発明を適用するためのＷＬＬシステムは図１と同一であるので、前記ＷＬＬシステムの構成説明は省略する。
【００４７】
図２は本発明によるＷＬＬシステムにおいて発信番号の伝送手続きを示す図である。
【００４８】
図２を参照すると、まず発信側加入者端末機１０又は３０がオフフックされると（Ｓ１０）、前記ＷＬＬ端末機３０内の無線接続装置又は前記有線端末機１０に連結された無線接続装置２０を介して前記ＷＬＬ端末機１０又は３０の発信情報を含む発呼メッセージが前記基地局４０に伝える（Ｓ１１）。
【００４９】
この時、前記ＷＬＬ端末機１０又は３０は該発呼メッセージを介して前記基地局４０から通話チャネル（又はトラフィックチャネル）を獲得しようとする。前記発呼メッセージには発信側加入者即ち、前記ＷＬＬ端末機１０又は３０を介して入力されるデジット情報は含まれない。
【００５０】
前記無線接続装置２０又は３０は前記発信情報が伝えられたことを知らせるローカルダイヤルトーンを前記ＷＬＬ端末機１０又は３０に伝える（Ｓ１３）。また、前記ＷＬＬ端末機１０又は３０は前記基地局４０間には呼が設定される（Ｓ１１）。
【００５１】
前記呼設定以後、前記基地局４０と前記交換局７０はＶ５．２シグナリングプロトコールを用いて相互のメッセージを交換する（Ｓ１２）。
【００５２】
なお、前記呼設定以後には前記交換局７０からＬＥダイヤルトーンが前記無線接続装置２０又は３０に連続して伝えられる。前記交換局７０は前記ＬＥダイヤルトーンが前記ＷＬＬ端末機１０又は３０ユーザーに伝えられないようにするために、既に決められたメッセージのトーン断絶信号メッセージを前記無線接続装置２０又は３０に伝える（Ｓ１６）。
【００５３】
これに前記無線接続装置２０又は３０は前記トーン断絶信号メッセージに応じて前記無線接続装置２０又は３０自体の内部に備えられたボコーダを動作させない。前記ＷＬＬ端末機１０又は３０のユーザーが最後のデジットを入力してから一定時間の経過するまで前記ユーザーは前記ＬＥダイヤルトーンを聞くことができない。即ち、前記無線接続装置１０又は３０がバストＤＴＭＦメッセージ（前記デジット及び前記デジットに応ずる情報のうち、いずれか一つ）を前記基地局４０に送る前まで前記ユーザーはＬＥダイヤルトーンを聞くことができない。
【００５４】
前記ＷＬＬ端末機１０又は３０には前記呼が設定されると共に、トラフィックチャネルが割り当てられる（Ｓ１４）。
【００５５】
前記ＷＬＬ端末機１０又は３０がオフクックされた以後（Ｓ１０）、前記ＷＬＬ端末機１０又は３０ユーザーの操作によって入力されるデジットは最後デジットが入力され、一定時間が過ぎる時まで前記無線接続装置２０又は３０の内部のバッファに一時的に格納される。
【００５６】
また、前記一定時間が終了されると、前記無線接続装置２０又は３０はボコーダを動作させることになり、前記バッファ（図示せず）に格納された前記デジット及び前記デジットに応ずる情報のうち、いずれか一つは前記バストＤＴＭＦメッセージを介して前記基地局４０に伝える（Ｓ１８）。
【００５７】
前記デジットに応ずる情報などは、前記デジットに該当するサービス情報を含む。
【００５８】
詳しくは前記ＷＬＬ端末機１０又は３０は前記バッファに臨時格納されるデジットを分析する。また、前記ＷＬＬ端末機１０又は３０は前記分析結果によって前記ユーザーが設定した該当サービスを支援するための前記デジット及び前記デジットに応ずる情報のうち、いずれか一つを前記ＤＴＭＦメッセージに乗せて前記無線接続装置２０又は３０を経て前記基地局４０に選択的に伝える。
【００５９】
前記基地局４０は前記バストＤＴＭＦメッセージに基づいて前記交換局７０に着信番号ＤＴＭＦデジットを伝送し、前記交換局７０は前記着信番号に該当する着信側加入者端末機と呼を連結するＳ１９。
【００６０】
前記着信番号を受信した前記交換局７０は前記発信側加入者端末機のＷＬＬ端末機１０又は３０にリングバックトーンを伝えるものによって前記着信側加入者端末機との連結を知らせる。従って、前記ＷＬＬ端末機１０又は３０と前記着信側加入者端末機の間に通話が可能になる（Ｓ２０）。
【００６１】
このように、本発明の実施形態を要約すると、オーバーラップ（ｏｖｅｒ  ｌａｐ）発信で、発信側加入者端末機の前記ＷＬＬ端末機１０又は３０がオフフックされると、前記発呼メッセージが前記基地局４０に送って前記基地局４０と前記ＷＬＬ端末機１０又は３０間に呼が設定される。次に前記無線接続装置２０又は３０が前記デジット及び前記デジットに応ずるデジット情報のうちいずれかの一つを前記基地局４０に伝える時、ブロック化タイプの発信のように前記ユーザーが最終デジットを入力した後、一定時間が経過すると、前記無線接続装置２０又は３０は前記バッファに格納されていたデジット及び前記デジットに応ずる情報のうち、いずれか一つを前記基地局４０に伝える。
【００６２】
即ち、前記ＷＬＬ端末機１０又は３０はオフフック以後、前記最終デジットが入力されてから、一定時間経過した後、前記格納されたデジット及び前記デジットに応ずる情報のうちいずれか一つが伝送されるまで前記臨時格納されたデジットを加工処理できる。
【００６３】
従って、本発明によると、前記ＷＬＬシステムにおいて、オーバーラップ発信を行ううち、前記ＷＬＬ端末機１０又は３０オーバーラップダイヤルにおけるブロック化ダイヤル機能のうちの一つであるスピードダイヤル機能、緊急呼機能、また、外部呼ロック機能などを用いることができる。また、ＷＬＬ端末機１０又は３０は呼制限機能と、プリフィックス（ｐｒｅｆｉｘ）ダイヤル機能のような発信者番号の加工を必要とする機能を具現できる。
【００６４】
前記スピードダイヤル機能は短縮ダイヤル機能として、特定なデジットを押す場合、該当されるデジットに該当する発信番号が伝えられる機能である。
【００６５】
前記緊急呼機能は緊急発信機能として、前記ＷＬＬ端末機１０又は３０が緊急通話モードのために登録された番号で発信を行う場合、相手の断絶前までは発信側が電話を切ろうとしても切られない機能である。
【００６６】
前記外部呼ロック機能はユーザーが特定した秘密番号を予め与えて発信時予め指定された秘密番号が前記端末機に入力されていなければ前記ＷＬＬ端末機１０又は３０の発信が行われない機能である。
【００６７】
前記制限呼機能はユーザーが特定した発信番号や地域が制限できる機能である。
【００６８】
前記プリフィックスダイヤル機能はユーザーが特定した番号で開始される発信番号に対してファックスモードに発信する機能である。
【００６９】
なお、前記ブロック化ダイヤル機能によると、前記ユーザーが電話番号を全て押さえた後、自動ダイヤルタイマによって発信メッセージが伝えられる。前記入力されたデジットと発信情報などを含む発呼メッセージが基地局に送られた後、トラフィックチャネルが得られる。これによるＷＬＬ端末機１０又は３０の構成を図３に示した。
【００７０】
図３を参照すると、本発明によるＷＬＬ端末機は送信及び受信データを処理するための端末機回路１０又は３０と、前記処理されたデータを前記基地局４０から無線に伝送するための、且つ無線に受信するための無線接続装置２０又は３０からなる。
【００７１】
前記無線接続装置２０又は３０はタイマ３００と、前記ユーザーによって入力された前記デジットを一時的に格納するメモリ２００と、前記タイマ３００を制御し、前記タイマ３００が終了されることによって、前記メモリ２００が格納したデジットを出力するように制御する無線接続制御部１００からなる。
【００７２】
このように本発明は前記ブロック化ダイヤル機能を応用したものである。本発明は、加入者端末機、基地局、交換期間の提供される加入者線路を無線に提供するｗｉｒｅｌｅｓｓ  ｌｏｃａｌ  ｌｏｏｐシステムにおいて、該加入者端末機に無線接続を提供する無線接続装置が、入力されるデジットを臨時格納し、分析して該入力されたデジット及び前記デジット情報に応ずる情報をシステムに伝えるようにして、ｏｖｅｒｌａｐ方式におけるｅｎｂｌｏｃｋ方式の通話方法を行うことを特徴とする。
【００７３】
以上本発明の好適な一実施形態に対して説明したが、前記実施形態のものに
限定されるわけではなく、本発明の技術思想に基づいて種々の変形又は変更が可能である。
【００７４】
【発明の効果】
以上説明したように、本発明は発信番号を伝送する以前に該当端末機がユーザー操作によって入力されるデジットを分析してユーザーが設定したサービスを選択的に支援することによって基地局の負荷が少なくなる効果を奏する。
【図面の簡単な説明】
【図１】一般的な分離型及び一体型ＷＬＬシステムの構成図である。
【図２】本発明の第１実施形態によるＷＬＬシステムの発信番号伝送手続きを示す図である。
【図３】本発明によるＷＬＬ端末機の構成図である。
【符号の説明】
１０    ＷＬＬ端末機
２０    無線接続装置
３０    ＷＬＬ端末機
４０    基地局
５０    基地局制御装置
６０    運用装置
７０    交換局
１００  無線接続制御部
２００  メモリ
３００  タイマ
【図１】
0003833577.tif 000002
【図２】
0003833577.tif 000003
【図３】
0003833577.tif 000004